(57)【要約】      （修正有）【課題】洗浄時に粉塵が発生せず、フィルターに絡み付いた粉塵を効率よく洗浄することができ、洗浄効果を高めることができるフィルター洗浄装置を提供する。【解決手段】フィルター洗浄装置は、筒状又は袋状のフィルターを洗浄するフィルター洗浄装置であって、フィルターを回転自在に支持する支持体３と、支持体３に支持されたフィルターの外周側面に向けて洗浄液を噴射するとともに上下動する第１ノズル４と、支持体３に支持されたフィルターの外周側面に乾燥用エアーを噴射するとともに上下動する第２ノズル５と、を備える。【選択図】図４
0003228870.tif 000002
【実用新案登録請求の範囲】
【請求項１】
筒状又は袋状のフィルターを洗浄するフィルター洗浄装置であって、
前記フィルターを回転自在に支持する支持体と、
前記支持体に支持された前記フィルターの外周側面に向けて洗浄液を噴射するとともに上下動する第１ノズルと、
前記支持体に支持された前記フィルターの外周側面に乾燥用エアーを噴射するとともに上下動する第２ノズルと、
を備える、フィルター洗浄装置。
【請求項２】
前記フィルターの内周側面に向けて洗浄液を噴射する第３ノズルを更に備える、請求項１に記載のフィルター洗浄装置。
【請求項３】
前記第１ノズルは、斜め下向きに洗浄水を噴射するように設けられている、請求項１又は２に記載のフィルター洗浄装置。
【請求項４】
前記第１ノズル及び第２ノズルを上下動させるリニアアクチュエータを更に備え、
前記リニアアクチュエータは、モータの回転運動をスライダーの直線往復運動に変換するクランク機構を備え、
前記スライダーに、前記第１ノズル及び第２ノズルの各々が上下に複数取り付けられている、請求項１〜３の何れかに記載のフィルター洗浄装置。
【請求項５】
前記支持体は、ターンテーブルと、前記ターンテーブル上に設けられてフィルターの内側面を支持する内側支持部と、を備える請求項１〜４の何れかに記載のフィルター洗浄装置。
【請求項６】
前記ターンテーブルが中央開口部を有する円環状であって、前記第３ノズルは前記ターンテーブルの下方から前記中央開口部を通って上方に延びる、請求項５に記載のフィルター洗浄装置。
【考案の詳細な説明】
【技術分野】
【０００１】
本考案は、工事現場等で発生する粉塵等を集塵する集塵機内に装着されるフィルター等を洗浄する、洗浄装置に関する。
【背景技術】
【０００２】
従来、工事現場等で発生する粉塵等を集塵する集塵機内に装着されるフィルターは、集塵機から取り外した後、水道水や高圧洗浄機を用いて手動洗浄を行っていた。しかしながら、洗浄時に発生する大量の粉塵が飛散し、作業環境が悪く、洗浄時間も長時間を要するという問題があった。
【０００３】
そのため、集塵機から取り外したフィルターを自動的に洗浄するフィルター洗浄装置が提案されている（特許文献１等）。このフィルター洗浄装置は、筐体内の天井から円筒型フィルターを回動可能に吊り下げ、エアー噴射口からフィルターの外周面に向けてエアーを噴射し、落下した粉塵を付属の集塵装置で吸引する。
【先行技術文献】
【特許文献】
【０００４】
【特許文献１】特開２０１６−１４０８２０号公報
【考案の概要】
【考案が解決しようとする課題】
【０００５】
しかしながら、上記従来のフィルター洗浄装置は、洗浄に長時間（例えば４分）を要する上に、フィルターに絡みついた粉塵を除去しにくく、しかも、集塵装置に設けられたフィルターバックが粉塵で満杯になったかどうかを頻繁に点検する必要があり、また満杯になった場合にフィルターバックを交換しなければならず、さらには集塵装置自体の洗浄が必要となる等の問題があった。
【０００６】
そこで、本考案は、上記問題を解消し得るフィルター洗浄装置を提供することを主たる目的とする。
【課題を解決するための手段】
【０００７】
上記目的を達成するため、本考案に係るフィルター洗浄装置は、筒状又は袋状のフィルターを洗浄するフィルター洗浄装置であって、前記フィルターを回転自在に支持する支持体と、前記支持体に支持された前記フィルターの外周側面に向けて洗浄液を噴射するとともに上下動する第１ノズルと、前記支持体に支持された前記フィルターの外周側面に乾燥用エアーを噴射するとともに上下動する第２ノズルと、を備える。
【０００８】
前記フィルターの内周側面に向けて洗浄液を噴射する第３ノズルを更に備えることが好ましい。
【０００９】
前記第１ノズルは、斜め下向きに洗浄水を噴射するように設けられていることが好ましい。
【００１０】
前記第１ノズルを上下動させるリニアアクチュエータを更に備え、前記リニアアクチュエータは、モータの回転運動をスライダーの直線往復運動に変換するクランク機構を備え、前記スライダーに、前記第１ノズルが上下に複数取り付けられていることが好ましい。
【００１１】
前記第２ノズルを上下動させるリニアアクチュエータを更に備え、前記リニアアクチュエータは、モータの回転運動をスライダーの直線往復運動に変換するクランク機構を備え、前記スライダーに、前記第２ノズルは、上下に複数取り付けられていることが好ましい。
【００１２】
前記支持体は、ターンテーブルと、前記ターンテーブル上に設けられてフィルターの内側面を支持する内側支持部と、を備えることが好ましい。
【００１３】
前記ターンテーブルが中央開口部を有する円環状であって、前記第３ノズルは前記ターンテーブルの下方から前記中央開口部を通って上方に延びることが好ましい。
【考案の効果】
【００１４】
本考案に係るフィルター洗浄装置は、フィルターを回転させながらフィルターの外側面の上下に亘って洗浄液を噴射して洗浄し、乾燥エアーで乾燥させることができるので、洗浄時に粉塵が発生しない。
【００１５】
また、フィルターの内側からも洗浄液を噴射することにより、フィルターに絡み付いた粉塵をフィルターの外表面に押しやり、外表面に押しやられた粉塵をフィルター外側面に噴射される洗浄液で洗い落すことができるので、フィルターに絡み付いた粉塵を効率よく洗浄することができる。
【００１６】
また、フィルターの外側面に上方から斜め下向きに洗浄液を噴射することで、フィルターに絡み付いた粉塵を削ぎ落すように洗浄することができる。フィルターがプリーツフィルターである場合には、プリーツに沿って粉塵を削ぎ落すように洗浄することができ、洗浄効果を高めることができる。
【図面の簡単な説明】
【００１７】
【図１】本考案に係るフィルター洗浄装置の一実施形態であって、開閉扉が開いた状態を示す正面図である。
【図２】図１のフィルター洗浄装置のＩＩ−ＩＩ線断面図である。
【図３】図１のフィルター洗浄装置の斜視図である。
【図４】図１のフィルター洗浄装置の要部縦断正面図である。
【図５】図１のフィルター洗浄装置の要部を拡大して示す斜視図である。
【図６】図１のフィルター洗浄装置のリニアアクチュエータを示す要部側面図である。
【図７】図１のフィルター洗浄装置のリニアアクチュエータを示す要部背面図である。
【図８】図１のフィルター洗浄装置の構成要素である支持体の変更態様を示す斜視図である。
【図９】バッグフィルターの外観を示す斜視図である。
【考案を実施するための形態】
【００１８】
本考案に係るフィルター洗浄装置の実施形態について、以下に図１〜図９を参照して説明する。
【００１９】
フィルター洗浄装置１は、図１〜図５を参照して、フィルター２を回転自在に支持する支持体３と、支持体３に支持されたフィルター２の外側面に向けて洗浄液を噴射するとともに上下動する第１ノズル４と、支持体３に支持されたフィルター２の外側面に乾燥用エアーを噴射するとともに上下動する第２ノズル５と、を備えている。また、フィルター２の内側面に向けて洗浄液を噴射する第３ノズル６が更に備えられている。
【００２０】
図１〜図３に示されるフィルター２は、工事現場等で発生する粉塵等を集塵する集塵機内に交換可能に装着されるカートリッジ式フィルターの一例である。このフィルター２は、不織布等で形成された筒状のプリーツフィルターを備えている。
【００２１】
図４及び図５を参照して、第１ノズル４は上下に複数配置され、第１ノズルの側方に並設されるようにして第２ノズル５が上下に複数配置されている。
【００２２】
第１ノズル４と第２ノズル５とは、図６を参照して、ケーシング７の背面に設けられたリニアアクチュエータ８により、上下動する。
【００２３】
図示例のリニアアクチュエータ８は、クランク機構を用いたリニアアクチュエータが好適に用いられている。このリニアアクチュエータ８は、図２、図６及び図７を参照して、モータ８ａと、モータ８ａの回転軸にギア８ｂ、８ｃを介して駆動連結されたクランクアーム８ｄと、クランクアーム８ｄに連結されたスライダー８ｅ、スライダー８ｅがスライドするスライドロッド８ｆと、を備え、モータ８ａの回転軸の回転がクランクアーム８ｄを通じてスライダー８ｅの直線往復運動に変換される。リニアアクチュエータとして、他の形式、例えば、ピストシリンダ式、ウォームギア式その他の形式のものを用いることもできる。
【００２４】
スライダー８ｅに、第１管４ａ及び第２管５ａが取り付けられ、第１管４ａの上下に第１ノズル４、４が取り付けられ、第２管５ａの上下に第２ノズル５、５が取り付けられている。
【００２５】
図示例のようなスライドクランク方式のリニアアクチュエータは、チェーン機構のような給油が不要であり、また、モータ８ａの回転方向が正方向のみであるためボルトの緩みが発生せず、メンテナンス頻度を低減できる。欠点としてクランクアーム８ｄの半径によってストローク長が決まるため、スライダー８ｅの移動ストロークを長くしようとするとクランクアーム８ｄの半径が大きくなり、本体が大型化するが、第１ノズル４及び第２ノズル５を上下に２段設けることにより、被洗浄物であるフィルター２の高さ寸法の約半分のストロークで対応でき、本体の大型化を抑制することができる。
【００２６】
第１管４ａには、高圧洗浄機（図示せず。）に接続されるホース４ｂ（図４）が接続される。高圧洗浄機は、例えば、圧力５ＭＰａ、流量３０リットル毎分のものを使用することができる。高圧洗浄機からの洗浄水は、上下の第１ノズル４、４から同時に噴射される。高圧洗浄機は、内蔵されているインバータによって噴射圧力を調整可能とされ得る。また、洗浄液の噴射圧力を高圧と低圧を切り替えるスイッチを設けて、被洗浄物であるフィルターの生地に応じて噴射圧力を切り替えることができる。例えば、プリーツフィルタータイプであれば高圧とし、後述のバッグフィルタータイプであれば低圧に切り替えることができる。
【００２７】
第２管５ａには、エアーコンプレッサー（図示せず。）に接続されるエアーホース５ｂ（図４）が接続される。エアーコンプレッサーは、例えば、０．７ＭＰａの吐出圧力ものを使用することができる。
【００２８】
スライダー８ｅは、キャスター８ｇが取り付けられていて、高圧洗浄水によるノズル反力を吸収し、スライドロッド８ｆに過負荷がかからずスムースに上下運動できるようになっている。
【００２９】
第１ノズル４は、いわゆる扇形ノズルが好適に用いられる。扇形ノズルは、中央が強く両端にかけて次第に弱まる山形流量分布の扇形噴霧（図５の一点鎖線矢印）を行うノズルであり、例えば、株式会社いけうち製の扇形ノズルを用いることができる。第１ノズル４は、例えばスプレーパターンが中心角度６５度の扇形ノズルが用いられる。第１ノズル４のスプレーパターンの中心角度は適宜設定することができる。
【００３０】
また、図６を参照して、第１ノズル４は、フィルター２の外周側面に向けて斜め下向き（図６の一点鎖線矢印方向）に洗浄水を噴射するように設けられている。図示例の第１ノズル４は、鉛直方向に対して約１０度の角度で斜め下向きに洗浄水を噴射する。第１ノズル４の噴射方向は適宜設定することができる。
【００３１】
図２及び図４を参照して、支持体３は、ターンテーブル３ａと、ターンテーブル３ａ上に設けられてフィルター２の内側面を支持する内側支持部３ｂと、を備えている。図示例のターンテーブル３ａは、円環状に形成されており、中央開口部３ｃに下方から第３ノズル６が突き出るように上方に伸びている。第３ノズル６は、第１ノズル４と同様に高圧洗浄機（図示せず。）のホース６ａが接続される。ホース４ｂとホース６ａとはＴ型ジョイント９で互いに接続され、Ｔ型ジョイント９が高圧洗浄機とホース接続されている。図２の符号１０は高圧洗浄機のホースを接続するカプラーを示し、符号１１はエアーコンプレッサーのエアーホースを接続するカプラーを示している。
【００３２】
図２を参照して、ターンテーブル３ａは、モータ３ｄの回転軸とプーリー・ベルト３ｅを介して駆動連結され、回転駆動する。
【００３３】
図４に示す内側支持部３ｂは、ターンテーブル３ａの中央開口部３ｃを囲む筒状の突起により形成されている。
【００３４】
ターンテーブル３ａ、第１ノズル４、第２ノズル５、第３ノズル６は、ケーシング７内に収められている。図３を参照して、ケーシング７は、全面及び上面を開放するための上下開閉可能な開閉扉７ａを備える。開閉扉７ａには、内部の洗浄状態を目視できるように全面に透明窓７ｂが設けられている。
【００３５】
図１、図２及び図４を参照して、ケーシング７の底部が漏斗状に形成され、下端に排水口７ｃが形成されている。また、図１〜図３を参照して、ケーシング７の支持脚７ｄに左右一対のフォーク爪差込み部７ｅが設けられ、フォークリフト（図示せず。）により運搬し易いようになっている。
【００３６】
上記構成を有するフィルター洗浄装置によるフィルターの洗浄手順の一例を以下に説明する。フィルター洗浄装置１は、フォークリフト（図示せず）によって排水溝（図示せず。）の上に搬送し設置されている。
【００３７】
開閉扉７ａを開いて、フィルター２を支持体３に支持させる。フィルター２は、図２を参照して、筒状をしたフィルター２の底部開口に内側支持部３ｂを嵌め込み、ターンテーブル３ａの上に載置する。内側支持部３ｂを構成する筒状の突起が筒状のフィルター２の内側面に当接することにより、フィルター２がターンテーブル３ａ上で倒れないように支持される。
【００３８】
フィルター２を支持体３に支持させた後、開閉扉７ａを閉じて、ターンテーブル３ａを回転させながら、第１ノズル４を上下動させつつ、第１ノズル４から洗浄液をフィルター２の外周面に向けて噴射するとともに、第３ノズル６からも洗浄液をフィルター２の内周面に向けて噴射する。なお、図示例では、第１ノズル４と第２ノズル５は一体となって上下動するが、第１ノズル４から洗浄液を噴射している時には第２ノズルから乾燥用エアーは噴射していない。
【００３９】
第３ノズル６から噴射された洗浄液は、フィルター２の不織布で形成されたフィルタープリーツに入り込んだ粉塵を内側から外側へ押し出すことができる。第１ノズル４は、フィルター２の外側面に向けて斜め下向きに洗浄水を噴射することにより、リニアアクチュエータ―の作動により上下動する際、特に上方から下方へ移動する際に、第３ノズル６によってフィルター２の外表面に押し出された粉塵を削ぎ落すようにして洗い流すことができる。また、このような削ぎ落し洗浄により、フィルター２のプリーツに沿った洗浄が可能となり、洗浄効果を向上させることができる。また、第１ノズル４のスプレーパターンを扇形とすることで、フィルター表面の広範囲に亘って削ぎ落し洗浄が可能となる。ターンテーブル３ａの回転速度と第１ノズル４の上下動速度とは、フィルター２の外表面が満遍なく洗浄されるように適宜設定され得る。
【００４０】
第１ノズル４による洗浄が所定時間経過した後、第１ノズル４からの洗浄水噴射を停止して、第２ノズル５から乾燥用エアーを噴射させる。第２ノズル５からの噴射は、所定時間経過した後に停止され、フィルター２の表面が万遍無く水切りされ、乾燥させられる。
【００４１】
フィルター２を洗浄した後に粉塵を含む汚れた洗浄液は、ケーシング７の底部の排水口７ｃから排出され、排水溝に流される。
【００４２】
上記構成を有するフィルター洗浄装置１は、フィルター２を回転させながらフィルター２の外側面の上下に亘って洗浄液を噴射して洗浄し、乾燥エアーで乾燥させることができるので、洗浄時に粉塵が発生しない。
【００４３】
また、フィルター２の内側からも洗浄液を噴射することにより、フィルター２に絡み付いた粉塵をフィルターの外表面に押しやり、外表面に押しやられた粉塵を、フィルター２の外側面に対して噴射される洗浄液で洗い落すことができるので、フィルター２に絡み付いた粉塵を効率よく洗浄することができる。
【００４４】
また、フィルター２の外側面に上方から斜め下向きに洗浄液を噴射することで、フィルター２に絡み付いた粉塵を削ぎ落すように洗浄することができる。フィルター２がプリーツフィルターである場合には、プリーツに沿って粉塵を削ぎ落すように洗浄することができ、洗浄効果を高めることができる。
【００４５】
支持体３は、図８に示すような専用治具３ｆを装着することにより、図９に示すような袋状（バッグフィルタータイプ）のフィルター２Ｂも洗浄可能である。図９のフィルター２Ｂは、マキタ製バッグフィルターである。専用治具３ｆは、ターンテーブル３ａに載せる底板３ｇと、底板３ｇに形成されて内側支持部３ｂに嵌合する穴３ｈと、底板３ｇ上に固定されてフィルター２Ｂを被せて支持する支持フレーム３ｉとを備えている。袋状のフィルター２を洗浄する場合、図８に示されているように、第３ノズル６Ｂは、側方だけでなく、上方にも向けて噴射する噴射口を備えるタイプが使用され得る。第３ノズルは、ワンタッチカプラ式で交換可能とされる。
【００４６】
本考案は、上記実施形態に限定されず、本考案の趣旨を逸脱しない範囲において適宜変更が可能である。例えば、支持体３は、ターンテーブル上に載せる実施形態に限らず、吊り下げ支持する形態を採用することもできる。また、上記実施形態においては、第１ノズルと第２ノズルとが一体的に上下動する形態について説明したが、第１ノズルと第２ノズルとが独立して上下動する形態とすることもできる。
【符号の説明】
【００４７】
１  フィルター洗浄装置
２  フィルター
２Ｂ  フィルター
３  支持体
３ａ  ターンテーブル
３ｂ  内側支持部
４  第１ノズル
５  第２ノズル
６  第３ノズル
６Ｂ  第３ノズル
８  リニアアクチュエータ
８ａ  モータ
８ｅ  スライダー
【図１】
0003228870.tif 000003
【図２】
0003228870.tif 000004
【図３】
0003228870.tif 000005
【図４】
0003228870.tif 000006
【図５】
0003228870.tif 000007
【図６】
0003228870.tif 000008
【図７】
0003228870.tif 000009
【図８】
0003228870.tif 000010
【図９】
0003228870.tif 000011